(57)【要約】【課題】  複数の親機のうちの２台が室内通話をしているときに、他の任意の親機からその室内通話をしている親機に対してメッセージを送出できるインターホンシステム及び集合住宅インターホンシステムを提供する。【解決手段】  居室親機２と第１増設親機３ａが室内通話中に、第２増設親機３ｂから送話操作した際、この操作により第２増設親機３ｂの増設親機ＣＰＵ２１から居室親機２に対して通話の遮断を予告する予告音報音要求信号を送出させ、その後、通話を遮断させるための通話遮断要求信号を送出させた。居室親機２に設けられた居室親機ＣＰＵ１１は、予告音報音要求信号を受信したら、通話中の親機２，３ａに遮断予告をし、その後双方の親機２，３ａに対して通話を遮断する制御をさせた。そして、遮断後に第２増設親機３ｂから居室親機１及び第１増設親機２ａへ送話ラインを形成させた。【選択図】  図２
2005159883.tif 000002
【特許請求の範囲】
【請求項１】
玄関に設置され、居住者を呼び出して通話を行うための玄関子機と、住戸内に設置され、前記玄関子機からの呼び出しを報知すると共に来訪者と通話するための親機とを備え、前記親機が、前記玄関子機に接続された居室親機と、前記居室親機に接続された複数の増設親機とから成るインターホンシステムにおいて、
前記親機のうちの２台が室内通話中に、前記通話中の親機以外の任意の親機から前記居室親機に対して通話を遮断させるための通話遮断要求信号を送出するＣＰＵを夫々の前記親機に備え、前記ＣＰＵのうち居室親機に設けられた居室親機ＣＰＵは、前記通話遮断要求信号を受信して前記通話中の双方の親機に対して通話を遮断する制御を行い、室内通話の強制遮断を可能とすることを特徴とするインターホンシステム。
【請求項２】
前記通話遮断要求信号を送出するＣＰＵは、その信号を送出する前に、通話の遮断を予告する予告音報音要求信号を送出し、前記居室親機ＣＰＵは前記予告音報音要求信号を受けて室内通話中の親機に対して遮断予告をすることを特徴とする請求項１記載のインターホンシステム。
【請求項３】
前記居室親機ＣＰＵは、前記遮断する制御をした後に前記通話遮断要求信号を送出した親機から前記通話中であった親機への送話ラインを確立する送話接続制御を実施して、遮断後に遮断操作した親機からの送話を可能とすることを特徴とする請求項１又は２記載のインターホンシステム。
【請求項４】
前記居室親機ＣＰＵは、前記送話が終了した後、通話中であった親機同士の通話ラインを再度確立する再接続制御を実施することを特徴とする請求項３記載のインターホンシステム。
【請求項５】
集合玄関に設置され、居住者を呼び出して通話を行うための集合玄関機と、住戸内に設置され、前記集合玄関機からの呼び出しを報知すると共に来訪者と通話するための親機とを備え、前記親機が、システムを制御する制御機を介して前記集合玄関機に接続された居室親機と、前記居室親機に接続された複数の増設親機とから成る集合住宅インターホンシステムにおいて、
前記親機のうちの２台が室内通話中に、前記通話中の親機以外の任意の親機から前記居室親機に対して通話を遮断させるための通話遮断要求信号を送出するＣＰＵを夫々の前記親機に備え、前記ＣＰＵのうち居室親機に設けられた居室親機ＣＰＵは、前記通話遮断要求信号を受信して前記通話中の双方の親機に対して通話を遮断する制御を行い、室内通話の強制遮断を可能とすることを特徴とする集合住宅インターホンシステム。
【請求項６】
前記通話遮断要求信号を送出するＣＰＵは、その信号を送出する前に、通話の遮断を予告する予告音報音要求信号を送出し、前記居室親機ＣＰＵは前記予告音報音要求信号を受けて室内通話中の親機に対して遮断予告をすることを特徴とする請求項５記載の集合住宅インターホンシステム。
【請求項７】
前記居室親機ＣＰＵは、前記遮断する制御をした後に前記通話遮断要求信号を送出した親機から前記通話中であった親機への送話ラインを確立する送話接続制御を実施して、遮断後に遮断操作した親機からの送話を可能とし、送話が終了したら送話ラインを遮断する送話遮断制御を行うことを特徴とする請求項５又は６記載の集合住宅インターホンシステム。
【請求項８】
前記居室親機ＣＰＵは、前記送話遮断制御を行った後、通話中であった親機同士の通話ラインを再度確立する再接続制御を実施することを特徴とする請求項７記載の集合住宅インターホンシステム。
【発明の詳細な説明】
【技術分野】
【０００１】
本発明は、玄関子機と親機を備えたインターホンシステム、及び集合玄関機と親機を備えた集合住宅インターホンシステムに関し、特に１つの住戸内に複数の親機を備えたシステムに関する。
【背景技術】
【０００２】
来訪者が居住者を呼び出すための戸建て住戸におけるインターホンシステムは、玄関に設置された玄関子機と、住戸内に設置された親機を備えている。また、集合住宅においては、集合玄関に設置された集合玄関機と各住戸内に設置された親機を備えている。このようなシステムの中で、一つの住戸の中で親機を複数備えたシステムが従来よりある。このようなインターホンシステムでは、親機同士の室内通話や一斉呼出等が可能となっている。（例えば、特許文献１参照）
【特許文献１】特開２００２−１９９１１０号公報
【発明の開示】
【発明が解決しようとする課題】
【０００３】
上述するように、一つの住戸内で複数の親機を備えたインターホンシステムの場合、親機同士の室内通話が可能であるが、３台以上親機を備えている場合、他の使用していない親機から室内通話をしている居住者に対してメッセージを送りたい場合がある。しかし、従来のシステムでは、他の親機から室内通話中の親機に対して、通話を遮断することはできなかったし、更にはメッセージを送ったり、通話に介入したりもできなかった。そのため、使用していない親機から室内通話中の住居人に対してメッセージを送りたい場合は、室内通話が終了するまで待たなければならなかった。
【０００４】
そこで、本発明は上記問題点に鑑みて成されたもので、３台以上の親機を有するシステムにおいて、任意の２台が室内通話をしているときに、他の任意の親機からその室内通話を遮断してメッセージを送出できるインターホンシステム及び集合住宅インターホンシステムを提供することを目的とする。
【課題を解決するための手段】
【０００５】
上記課題を解決するために、請求項１の発明は、玄関に設置され、居住者を呼び出して通話を行うための玄関子機と、住戸内に設置され、玄関子機からの呼び出しを報知すると共に来訪者と通話するための親機とを備え、親機が、玄関子機に接続された居室親機と、居室親機に接続された複数の増設親機とから成るインターホンシステムにおいて、親機のうちの２台が室内通話中に、通話中の親機以外の任意の親機から居室親機に対して通話を遮断させるための通話遮断要求信号を送出するＣＰＵを夫々の親機に備え、ＣＰＵのうち居室親機に設けられた居室親機ＣＰＵは、通話遮断要求信号を受信して通話中の双方の親機に対して通話を遮断する制御を行い、室内通話の強制遮断を可能とすることを特徴とする。
この発明により、室内通話をしている親機に対して任意の親機から遮断操作できるので、何時でも任意の親機から何れの親機に対しても要件を伝達することが可能となる。従って、伝えたい相手が室内通話中であっても終わるのを待つ必要がない。
【０００６】
請求項２の発明は、請求項１に記載の発明において、通話遮断要求信号を送出するＣＰＵは、その信号を送出する前に、通話の遮断を予告する予告音報音要求信号を送出し、居室親機ＣＰＵは予告音報音要求信号を受けて室内通話中の親機に対して遮断予告をすることを特徴とする。
この発明によれば、室内通話遮断前に室内通話中の親機に予告音を送信するので、室内通話をしている住居人は、遮断されるのを事前に知ることができる。
【０００７】
請求項３の発明は、請求項１又は２記載の発明において、居室親機ＣＰＵは、遮断する制御をした後に通話遮断要求信号を送出した親機から通話中であった親機への送話ラインを確立する送話接続制御を実施して、遮断後に遮断操作した親機からの送話を可能とすることを特徴とする。
この発明により、室内通話遮断後に遮断操作した親機から室内通話していた双方の親機に対して送話ができるので、必要事項の伝達をスムーズに実施できる。
【０００８】
請求項４の発明は、請求項３記載の発明において、居室親機ＣＰＵは、送話が終了した後、通話中であった親機同士の通話ラインを再度確立する再接続制御を実施することを特徴とする。
この発明により、送話が終了したら室内通話中だった２つの親機同士を再接続するので、室内通話していた住居人は室内通話を続けることができる。
【０００９】
請求項５の発明は、集合玄関に設置され、居住者を呼び出して通話を行うための集合玄関機と、住戸内に設置され、集合玄関機からの呼び出しを報知すると共に来訪者と通話するための親機とを備え、親機が、システムを制御する制御機を介して集合玄関機に接続された居室親機と、居室親機に接続された複数の増設親機とから成る集合住宅インターホンシステムにおいて、親機のうちの２台が室内通話中に、通話中の親機以外の任意の親機から居室親機に対して通話を遮断させるための通話遮断要求信号を送出するＣＰＵを夫々の親機に備え、ＣＰＵのうち居室親機に設けられた居室親機ＣＰＵは、通話遮断要求信号を受信して通話中の双方の親機に対して通話を遮断する制御を行い、室内通話の強制遮断を可能とすることを特徴とする。
この発明によれば、室内通話をしている親機に対して任意の親機から遮断操作できるので、何時でも任意の親機から何れの親機に対しても要件を伝達することが可能となる。従って、伝えたい相手が室内通話中であっても終わるのを待つ必要がない。
【００１０】
請求項６の発明は、請求項５に記載の発明において、通話遮断要求信号を送出するＣＰＵは、その信号を送出する前に、通話の遮断を予告する予告音報音要求信号を送出し、居室親機ＣＰＵは予告音報音要求信号を受けて室内通話中の親機に対して遮断予告をすることを特徴とする。
この発明により、室内通話遮断前に室内通話中の親機に予告音を送信するので、室内通話をしている住居人は、遮断されるのを事前に知ることができる。
【００１１】
請求項７の発明は、請求項５又は６に記載の発明において、居室親機ＣＰＵは、遮断する制御をした後に通話遮断要求信号を送出した親機から通話中であった親機への送話ラインを確立する送話接続制御を実施して、遮断後に遮断操作した親機からの送話を可能とし、送話が終了したら送話ラインを遮断する送話遮断制御を行うことを特徴とする。
この発明により、室内通話遮断後に遮断操作した親機から室内通話していた双方の親機に対して送話ができるので、必要事項の伝達をスムーズに実施できる。
【００１２】
請求項８の発明は、請求項７記載の発明において、居室親機ＣＰＵは、送話遮断制御を行った後、通話中であった親機同士の通話ラインを再度確立する再接続制御を実施することを特徴とする。
この発明により、送話が終了したら室内通話中だった２つの親機同士を再接続するので、室内通話していた住居人は室内通話を続けることができる。
【発明の効果】
【００１３】
このように、本発明によれば、室内通話をしている親機に対して他の何れの親機からでも遮断操作できるので、急用が発生したときに何時でも任意の親機に対して何れの親機からでも要件を伝達でき、室内通話が終わるのを待つ必要が無い。
【発明を実施するための最良の形態】
【００１４】
以下、本発明を具体化した実施の形態を、図面に基づいて詳細に説明する。図１、図２は本発明に係るインターホンシステムの説明図で、図１は機器接続図、図２はシステムの要部ブロック図を示している。図１，２において、１は玄関に設置される玄関子機、２は住戸内に設置される親機である居室親機、３は同様に住戸内に設置される親機である増設親機を示している。また、４は住居人を呼び出す呼出ボタン、５は来訪者を撮影するカメラ、６ａは通話をするための通話ボタン、６ｂは通話をするためのハンドセット、７はカメラの撮像映像を出画するテレビモニタである。
【００１５】
増設親機３は、第１増設親機３ａ、第２増設親機３ｂの２台から成り、第１増設親機３ａは居室親機２に接続され、第２増設親機３ｂは第１増設親機３ａに接続されている。また、玄関子機１は居室親機２に接続されている。このように、３台の親機２、３ａ、３ｂを備え、玄関子機１からの呼出操作があったら、全ての親機２，３ａ，３ｂが呼び出しを報知すると共に来訪者を各モニタ７，７，７に映し出し、来訪者と通話が可能に構成されている。また、親機同士の呼出機能を備え（図示せず）て室内通話が可能に構成されている。
尚、増設親機３は、ここでは２台としているが、更に多く設置でき、その場合は、図２に示すように第２増設親機３ｂから順次直列に接続されて増設される。
【００１６】
居室親機２は、図２に示すように、居室親機２の各回路を制御するＣＰＵ（居室親機ＣＰＵ）１１、玄関子機１や増設親機３と通話するための通話回路１２、マイク１３、スピーカ１４、玄関子機１を接続するための玄関子機用インターフェイス回路１５（以下、単に玄関子機用ＩＦ回路とする）、増設親機３を接続するための増設親機用インターフェイス回路１６（以下、単に増親用ＩＦ回路とする）を備えている。また、居室親機ＣＰＵ１１は接続された増設親機３の通話接続を制御する機能も備えている。
増設親機３は、増設親機３の各回路を制御するＣＰＵ（増設親機ＣＰＵ）２１、玄関子機１や居室親機２、更には他の増設親機３と通話するための通話回路２２、マイク２３、スピーカ２４、居室親機２又は増設親機３を接続する為の増設親機用インターフェイス回路２５ａ，２５ｂ（以下、単に増親用ＩＦ回路とする）を備えている。
【００１７】
上記構成のインターホンシステムは次の様に動作する。尚、玄関子機１の呼出ボタン４による来訪者の呼び出し操作、その後の通話に関する動作説明は省略し、室内通話中の動作について説明する。今、居室親機２と第１増設親機３ａが室内通話中とする。この状態において、第２増設親機３ｂから通話中の居室親機２或いは第１増設親機３ａに対して急用を伝えたい場合、通話を遮断して送話するための送話操作をする。この操作は、例えば通話中の親機を呼び出す操作で実施される。この操作により、第２増設親機３ｂの増設親機ＣＰＵ２１から居室親機２に対して、まず通話の遮断を予告するための予告音報音要求信号が出力され、それから所定時間（例えば、５秒）経過後、通話を遮断させるための通話遮断要求信号を送出する。
【００１８】
予告音報音要求信号は、第２増設親機３ｂの増親用ＩＦ回路２５ａ、第１増設親機３ａの２つの増親用ＩＦ回路２５ｂ、２５ａを順次通過し、居室親機２の増親用ＩＦ回路１６を介して居室親機ＣＰＵ１１で受信される。居室親機ＣＰＵ１１は、予告音報音要求信号を検出したら、居室親機２自身及び増親用ＩＦ回路１６を介して通話中の第１増設親機３ａに対して、通話の遮断を予告する警告音を送出させる予告音報音信号を送出する。この信号を受けて、通話中の居室親機２及び第１増設親機３ａはスピーカ１４，２４からブザー音等の警告音を報音し、通話遮断の予告がなされる。尚、この警告音は「通話を遮断します」等の予め記憶されたメッセージ音としても良い。
【００１９】
予告音報音信号を送出した居室親機ＣＰＵ１１は、その後、予告音報音信号と同様の経路で通話遮断要求信号を受信する。この信号を受信した居室親機ＣＰＵ１１は、通話を遮断する通話遮断信号を増親用ＩＦ回路１６を介して通話中の第１増設親機３ａに対して送出する。通話中の居室親機２及び第１増設親機３ａは、通話遮断信号を受けて、通話ラインを遮断する。続いて、居室親機ＣＰＵ１１は、遮断操作した第２増設親機３ｂから居室親機２及び第１増設親機３ａの双方へ送話ラインを確立する。
こうして、送話ラインが確立されることで、第２増設親機３ｂから、通話中であった居室親機２及び第１増設親機３ａへ、即ち伝えたい相手へ急ぎの要件等のメッセージを伝達することができる。そして、メッセージ伝達後、第２増設親機３ｂの増設親機ＣＰＵ２１は居室親機２に対して送話終了信号を送出する。尚、送話終了信号は、第２増設親機３ｂの通話ボタン６ａを押下するかハンドセット６ｂを置いたのを検知して発生させればよい。
【００２０】
送話終了信号は、第２増設親機３ｂの増親用ＩＦ回路２５ａ、第１増設親機３ａの２つの増親用ＩＦ回路２５ｂ，２５ａを介し、更に居室親機１の増親用ＩＦ回路１６を経て居室親機ＣＰＵ１１で受信される。居室親機ＣＰＵ１１は、送話終了信号を検出したら、通話中であった居室親機２と第１増設親機３ａの通話ラインを再度確立させる。こうして、一旦遮断された室内通話は再開される。
尚、この実施形態においては、居室親機２と第１増設親機３ａが室内通話する場合を説明したが、居室親機２と第２増設親機３ｂが室内通話中であっても、また、第１，第２増設親機３ａ，３ｂ間が室内通話中であっても、使用していない親機により同様に遮断操作でき、各親機は同様の動作をする。更に、増設親機３が更に多く設置されていても、回路構成を変更することなく同様の動作を実施でき、任意の親機から室内通話を遮断させることができる。
【００２１】
このように、任意の親機から室内通話中の居住者に対して室内通話を遮断してメッセージを伝えることができるので、何時でも急用が発生したときに何れの親機に対しても要件を伝達できる。従って、伝えたい相手に要件をスムーズに伝達でき、室内通話中であっても終わるのを待つ必要がない。
また、室内通話遮断前に室内通話中の親機に予告音を送信するので、室内通話をしている住居人は、遮断されるのを事前に知ることができる。
更に、メッセージの送話が終了したら室内通話中だった２つの親機同士を再接続するので、室内通話していた住居人は室内通話を続けることができる。
【００２２】
次に、本発明に係る集合住宅インターホンシステムを図３，図４を基に説明する。図３は機器接続図、図４はシステムの要部ブロック図を示し、３１は集合玄関に設置されて来訪者が訪問する住戸の住居人を呼び出す集合玄関機、３２は各住戸内に設置される親機である居室親機、３３は同様に住戸内に設置される親機である増設親機、３４は管理室に設置される管理室親機、３５はシステムを制御する制御機、３６は各住戸玄関に設置される玄関子機を示している。また、集合玄関機３１において、３８は呼出先を入力し、居住者を呼び出すための呼出部、３９は来訪者を撮影するカメラである。
尚、玄関子機３６、親機３２，３３において、上記図１と同一の構成要素には同一の符号を付与してある。
【００２３】
そして、集合玄関機３１と管理室親機３４は制御機３５に接続され、各住戸の居室親機３１は制御機３５から伸びた幹線３７に夫々接続されている。また、増設親機３３は第１増設親機３３ａ、第２増設親機３３ｂから成り、第１増設親機３３ａは居室親機３２に接続され、第２増設親機３３ｂは第１増設親機３３ａに接続されている。また、玄関子機３６は居室親機３１に接続されている。このように、１つの住戸内に複数の親機３２，３３ａ，３３ｂを備え、集合玄関機３１或いは玄関子機３６からの呼出操作を受けて、呼び出された住戸内の全ての親機３２，３３ａ，３３ｂが呼び出しを報知すると共に、来訪者を各モニタ７，７，７に出画し、来訪者と通話が可能に構成されている。また、親機同士の呼出機能を備え（図示せず）て室内通話が可能に構成されている。
【００２４】
尚、図３では、複数の住戸のうち１つを代表して示し、その住戸の居室親機３２に増設親機３３を接続した場合を示しているもので、全ての住戸が複数の増設親機３３を有してシステムが構成されている訳ではない。また、増設親機３３が更に多く設置される場合は、図４に示すように第２増設親機３３ｂから順次直列に接続されて増設される。また、図示しない他の住戸の居室親機は、各々幹線３７に接続され、制御機３５及び集合玄関機３１等に接続されている。
【００２５】
居室親機３２は、図４に示すように、居室親機３２の各回路を制御するＣＰＵ（居室親機ＣＰＵ）４１、集合玄関機３１，玄関子機３６更には増設親機３３と通話するための通話回路４２、マイク４３、スピーカ４４、玄関子機３６を接続するための玄関子機用ＩＦ回路４５、増設親機３３を接続するための増親用ＩＦ回路４６、幹線３７を介して制御機３５に接続するための制御機用インターフェイス回路４７（以下、単に制御機用ＩＦ回路とする）を備えている。また、居室親機ＣＰＵ４１は、接続された増設親機３３の通話接続を制御する機能も備えている。
また、増設親機３３は、増設親機３３の各回路を制御するＣＰＵ（増設親機ＣＰＵ）５１、集合玄関機３１や玄関子機３６更には居室親機３２と通話するための通話回路５２、マイク５３、スピーカ５４、居室親機３２又は増設親機３３を接続する為の増親用ＩＦ回路５５ａ，５５ｂを備えている。
【００２６】
上記構成の集合住宅インターホンシステムは次の様に動作する。尚、集合玄関機３１或いは玄関子機３６からの来訪者による呼び出し、その後の通話に関する動作説明は省略し、室内通話中の動作について説明する。今、居室親機３２と第１増設親機３３ａが室内通話中とする。この状態において、第２増設親機３３ｂから通話中の居室親機３２或いは第１増設親機３３ａに対して急用を伝えたい場合、通話を遮断して送話するための送話操作をする。この操作は、例えば通話中の親機を呼び出す操作で実施される。この操作により、第２増設親機３３ｂの増設親機ＣＰＵ５１から居室親機３１に対して、まず通話の遮断を予告するための予告音報音要求信号が出力され、それから所定時間（例えば、５秒）経過後、通話を遮断させるための通話遮断要求信号を送出する。
【００２７】
予告音報音要求信号は、第２増設親機３３ｂの増親用ＩＦ回路５５ａ、第１増設親機３３ａの増親用ＩＦ回路５５ｂ、５５ａを順次通過し、居室親機３２の増親用ＩＦ回路４６を介して居室親機ＣＰＵ４１で受信される。居室親機ＣＰＵ４１は、予告音報音要求信号を検出したら、居室親機３１自身及び増親用ＩＦ回路４６を介して通話中の第１増設親機３３ａに対して、通話の遮断を予告する警告音を送出させる予告音報音信号を送出する。この信号を受けて、通話中の居室親機３２及び第１増設親機３３ａはスピーカ４４，５４から警告音を報音し、通話遮断の予告がなされる。
【００２８】
予告音報音信号を送出した居室親機ＣＰＵ４１は、その後、予告音報音要求信号と同様の経路で通話遮断要求信号を受信する。この信号を受信した居室親機ＣＰＵ４１は、通話を遮断する通話遮断信号を増親用ＩＦ回路４６を介して通話中の第１増設親機３３ａに対して送出する。通話中の居室親機３２及び第１増設親機３３ａは、通話遮断信号を受けて、通話ラインを遮断する。続いて、居室親機ＣＰＵ４１は、遮断操作した第２増設親機３３ｂから居室親機３２及び第１増設親機３３ａの双方へ送話ラインを確立する。
こうして、送話ラインが確立されることで、第２増設親機３３ｂは、通話中であった居室親機３２及び第１増設親機３３ａへ、即ち伝えたい相手へ急ぎの要件等のメッセージを伝達することができる。そして、メッセージ送出後、第２増設親機３３ｂの増設親機ＣＰＵ５１は居室親機３２に対して送話終了信号を送出する。尚、送話終了信号は、第２増設親機３３ｂの通話ボタン６ａを押下するかハンドセット６ｂを置いたのを検知して発生させればよい。
【００２９】
送話終了信号は、第２増設親機３３ｂの増親用ＩＦ回路５５ａ、第１増設親機３３ａの２つの増親用ＩＦ回路５５ｂ，５５ａを介し、更に居室親機３２の増親用ＩＦ回路４６を経て居室親機ＣＰＵ４１で受信される。居室親機ＣＰＵ４１は、送話終了信号を検出したら、通話中であった居室親機３２と第１増設親機３３ａの通話ラインを再度確立させる。こうして、一旦遮断された室内通話は再開される。
尚、この実施形態においては、居室親機３２と第１増設親機３３ａが室内通話する場合を説明したが、居室親機３２と第２増設親機３３ｂが室内通話中であっても、また、第１，第２増設親機３３ａ，３３ｂ間が室内通話中であっても、使用していない親機により同様に遮断操作でき、各親機３２，３３は同様の動作をする。更に、増設親機３３が更に多く設置されていても、回路構成を変更することなく同様の動作を実施でき、任意の親機から室内通話を遮断させることができる。
【００３０】
このように、集合住宅に設置される集合住宅インターホンシステムにおいても、任意の親機から室内通話中の居住者に対して室内通話を遮断してメッセージを伝えることができるので、何時でも急用が発生したときに何れの親機に対しても要件を伝達できる。従って、伝えたい相手に要件をスムーズに伝達でき、室内通話中であっても終わるのを待つ必要がない。
また、室内通話遮断前に室内通話中の親機に予告音を送信するので、室内通話をしている住居人は、遮断されるのを事前に知ることができる。
更に、メッセージの送話が終了したら室内通話中だった２つの親機同士を再接続するので、室内通話していた住居人は室内通話を続けることができる。
【図面の簡単な説明】
【００３１】
【図１】本発明に係るインターホンシステムの実施形態の一例を示す機器接続図である。
【図２】図１の要部ブロック図である。
【図３】本発明に係る集合住宅インターホンシステムの実施形態の一例を示す機器接続図である。
【図４】図３の要部ブロック図である。
【符号の説明】
【００３２】
１・・玄関子機、２・・居室親機、３（３ａ，３ｂ）・・増設親機、１１・・居室親機ＣＰＵ、２１・・増設親機ＣＰＵ、３１・・集合玄関機、３２・・居室親機、３３（３３ａ，３３ｂ）・・増設親機、３５・・制御機、３６・・玄関子機、４１・・居室親機ＣＰＵ、５１・・増設親機ＣＰＵ。
【図１】
2005159883.tif 000003
【図２】
2005159883.tif 000004
【図３】
2005159883.tif 000005
【図４】
2005159883.tif 000006